(57)【要約】  【課題】  熱交換室の送風性能を向上させた空気調和機の室外機を提供することを目的とする。  【解決手段】  筐体１の内部に仕切板２を設けて熱交換器３と送風ファン４とを備えた熱交換室５を形成するとともに、同熱交換室５の吹出口８にベルマウス９を設けてなる空気調和機の室外機において、前記仕切板２の前記ベルマウス寄りに上下方向に延出した凸部２ａを設けることにより、仕切板２に添って進行する空気流をベルマウス９へ偏向させる。このような構成とすれば熱交換室内の空気流がベルマウス９と仕切板２間に形成される空隙１１に進入し難くなるので、空隙１１で渦流が発生する恐れがなくなり、騒音が低下し、熱交換室５の送風性能が向上する。【選択図】図１
2006214690.tif 000002
【特許請求の範囲】
【請求項１】
筐体内部に仕切板を設けて熱交換器と送風ファンとを備えた熱交換室を形成するとともに、同熱交換室の吹出口にベルマウスを設けてなるものにおいて、前記仕切板の前記ベルマウス寄りに凸部を設けることを特徴とする空気調和機の室外機。
【請求項２】
前記凸部の高さは前記仕切板表面の空気流を前記ベルマウスへ偏向させる高さとする請求項１記載の空気調和機の室外機。
【請求項３】
前記ベルマウスのカール部先端と前記仕切板間の距離が近いところでは前記凸部を前記カール部先端の近くに設け、遠いところでは前記カール部先端より奥行き方向に離れた位置に設けてなる請求項１または２記載の空気調和機の室外機。
【発明の詳細な説明】
【技術分野】
【０００１】
本発明は空気調和機の室外機に係わり、詳しくは、筐体内部に仕切板を設けて形成された熱交換室の送風性能を向上させるための構造に関する。
【背景技術】
【０００２】
空気調和機の室外機としては、例えば、図８と図９（Ａ）に示すようなものがある。
図８と図９（Ａ）は何方も室外機の内部構成を上面から示したもので、前者は筐体１の内部が仕切板２によって、熱交換器３と送風ファン４とを備えた熱交換室５と、圧縮機６と図示されてない電装品箱等を備えた機械室７とに区画形成され、熱交換室５の吹出口８にベルマウス９を設けた構成になっており、図９（Ａ）に示す後者は、筐体１の内部を仕切板２で上下に仕切り、その上部に、熱交換器３と送風ファン４とを備えた熱交換室５を形成し、吹出口８にベルマウス９を設ける一方、下部に、図示されてない機械室を形成した構成（例えば、特許文献１参照）になっている。
【０００３】
ところで、上記構成のものにおいては、前者後者共に、吸込口１０から導入され、熱交換器３を経て吹出口８に向かう空気流の一部がベルマウス９の裏側の空隙（渦流発生空間とも言う）１１に流れ込み、渦流１２が発生して騒音を増大させるばかりでなく、吹出口８への風量を低下させてしまうという問題点があった。
【０００４】
そこで、従来は図９（Ｂ）に示すように、ベルマウス９の裏側の渦流発生空間１１に詰め物１３を施して空気の流れを変える案が公開されていたが、このような手段では多大な手間と材料とを要するという問題点があった。
【０００５】
【特許文献１】実開昭５７ー１１６０００号公報（第１頁、図２、図４）
【発明の開示】
【発明が解決しようとする課題】
【０００６】
したがって、本発明においては、詰め物等の材料を使わず、手間もかけずに、熱交換室の送風性能の向上を可能にした空気調和機の室外機を提供することを目的としている。
【課題を解決するための手段】
【０００７】
本発明は上記の課題を解決するためになされたものであり、筐体内部に仕切板を設けて熱交換器と送風ファンとを備えた熱交換室を形成するとともに、同熱交換室の吹出口にベルマウスを設けてなるものにおいて、前記仕切板の前記ベルマウス寄りに凸部を設けて同仕切板表面の空気流を前記ベルマウスへ偏向するようにしてなる構成とする。
【０００８】
また、前記凸部の高さは前記仕切板表面の空気流を前記ベルマウスへ偏向させる高さとする。
【０００９】
また、前記ベルマウスのカール部先端と前記仕切板間の距離が近いところでは前記凸部を前記カール部先端の近くに設け、遠いところでは前記カール部先端より奥行き方向に離れた位置に設けてなる構成とする。
【発明の効果】
【００１０】
本発明の構成からなる空気調和機の室外機であれば、仕切板に添って進行する空気流が同仕切板の所定位置に突出形成された凸部によりベルマウス側に偏向されるので、ベルマウスの裏側に詰め物を施さなくても、そこで渦流が発生する恐れがなく、騒音が低下するとともに熱交換室での送風性能が向上した室外機が得られることになる。
【発明を実施するための最良の形態】
【００１１】
以下、本発明の実施の形態を、添付図面に基づいて説明する。
【実施例１】
【００１２】
図１において、（Ａ）は空気調和機の室外機の概略構成を上面から示したもの、（Ｂ）は本発明に係わる要部を拡大図示したもので、１は室外機の筐体である。筐体１の内部は仕切板２によって、熱交換器３と送風ファン４とを備えた熱交換室５と、圧縮機６と図示されてない電装品箱等を備えた機械室７とに区画形成され、熱交換室５の吹出口８にはベルマウス９が設けられている。
【００１３】
２ａは仕切板２に突出形成された凸部で、垂直方向に延出した形態になっており、仕切板２の表面からの高さは図１の（Ｂ）に示すように、ベルマウス９のカール部先端９ａと仕切板２との距離をＴとした場合、その略Ｔ／２となっており、ベルマウス９のカール部先端９ａに近い位置（風上側）に設けられている。
【００１４】
以上説明したような構成からなる室外機では、仕切板２に添って進行する空気流が凸部２ａによりベルマウス９側に偏向されるので、ベルマウス９の裏側に詰め物等を施さなくても、そこで渦流が発生するようなことはなく、騒音も減少することになり、熱交換室５での送風性能がより向上する。
【００１５】
図２は第２の実施の形態を正面側より示したもので、前者との違いは仕切板２に突出形成された凸部２ａの形態である。この凸部２ａは、ベルマウス９のカール部先端９ａと仕切板２との距離Ｔが近い中央部ではその高さが前者とほぼ同様のＴ／２となっているが、カール部先端９ａと仕切板２との距離Ｔが遠くなる上下では凸部２ａの高さを多少大きくした形態になっている。このような形態であれば、仕切板２の上部および下部に添って進行する空気流もより多くベルマウス９側へ偏向することができ、送風性能もより向上することになる。
【００１６】
図３は第３の実施の要部形態を側面から示したもので、その特徴とするところは、ベルマウス９のカール部先端９ａと仕切板２間の距離が奥行き方向で近いところでは凸部２ａをカール部先端９ａの近くに設け、遠いところではカール部先端９ａより離れた位置に設けてなる構成としたことである。このような形態であれば、前者（図２の形態）とほぼ同様に、仕切板２の上部および下部に添って進行する空気流もより多くベルマウス９側へ偏向することができ、送風性能の向上が図れることになる。
【００１７】
図４は第４の実施の要部形態を側面から示したもので、その特徴とするところは、ベルマウス９のカール部先端９ａと仕切板２間の距離が奥行き方向で近いところでは凸部２ａをカール部先端９ａの近くに設け、前記距離が遠ざかるに連れて凸部２ａを徐々にカール部先端９ａより離れた位置に延出させてなる構成としたことである。このような形態であれば、第２、第３の形態とほぼ同様に、仕切板２の上部および下部に添って進行する空気流もより多くベルマウス９側へ偏向することができ、送風性能の向上が図れることになる。
【００１８】
図５は第５の実施の形態を示したもので、この室外機では熱交換室５の上下それぞれに送風ファン４と、これらに対応した二つのベルマウス９とを備えており、仕切板２には上下のベルマウス９にそれぞれ対応させた二つの凸部２ａが設けられ、仕切板２の上部および下部に添って進行する空気流もより多くベルマウス９側へ偏向することができ、熱交換室５の送風性能を向上させるようになっている。
【００１９】
図６および図７は、図５に示すように構成された室外機（本発明採用機）と仕切板２に凸部２ａが設けられてない従来機との送風性能等の比較結果を図示したものである。
図６では送風ファン４の回転数と風量の関係を示しているが、本発明採用機は従来機に比して、どの回転数においても風量が増加していることが分かる。
また、図７では風量と騒音の関係を示しているが、本発明採用機は従来機に比して、風量が大きくなるほど騒音が改善されていることが分かる。これらの比較データからも分かるように本発明を採用した室外機では、騒音を減少させ、送風性能を向上させることができる。
【図面の簡単な説明】
【００２０】
【図１】（Ａ）は本発明の第１の実施の形態を示す断面図、（Ｂ）はその要部拡大図である。
【図２】本発明の第２の実施の形態を示す正面図である。
【図３】本発明の第３の実施の形態を示す要部側断面図である。
【図４】本発明の第４の実施の形態を示す要部側断面図である。
【図５】本発明の第５の実施の形態を示す立体斜視図である。
【図６】本発明採用機と従来機に於ける回転数−風量特性図である。
【図７】本発明採用機と従来機に於ける風量−騒音特性図である。
【図８】従来例を示す空気調和機の室外機の断面図である。
【図９】もう一つの従来例を示す空気調和機の室外機で、（Ａ）は改善前の断面図、（Ｂ）は改善後の要部拡大図である。
【符号の説明】
【００２１】
１  筐体
２  仕切板
２ａ  凸部
３  熱交換器
４  送風ファン
４ａ  ファンモータ
５  熱交換室
６  圧縮機
７  機械室
８  吹出口
９  ベルマウス
９ａ  カール部先端
１０  吸込口
１１  空隙（渦流発生空間）
１２  渦流
【図１】
2006214690.tif 000003
【図２】
2006214690.tif 000004
【図３】
2006214690.tif 000005
【図４】
2006214690.tif 000006
【図５】
2006214690.tif 000007
【図６】
2006214690.tif 000008
【図７】
2006214690.tif 000009
【図８】
2006214690.tif 000010
【図９】
2006214690.tif 000011